(57)【要約】【課題】  蓋の内側に嵌合する嵌合部材を設けて揮散マット支持するにあたり、揮散マットを蓋の奥方まで押し込み易く、着脱操作の簡単な嵌合部材を備えた液剤用容器を提供する。【解決手段】  液剤を揮散マット１３０に浸潤させて揮散させる液剤用容器であって、蓋部１２０を、有天円筒形状に形成すると共に、蓋部１２０の内側に嵌合して揮散マット１３０を下方から支持する嵌合部材１４０を備え、嵌合部材１４０を、側面視すると揮散マット１３０を支持する揮散マット支持部１４１と、揮散マット支持部１４１よりも下方に位置する着脱操作部１４２を備え、揮散マット支持部１４１と着脱操作部１４２とが変位部αを介して連続的に（略方波形に）構成し、且つ、平面視した場合に外周面１４５を円形に構成する。【選択図】図２
0003218342.tif 000002
【実用新案登録請求の範囲】
【請求項１】
液剤を収容する本体部と、当該本体部に対して着脱自在に構成された蓋部とを備え、前記本体部から上方に露出させた芯材を介して前記液剤を揮散マットに浸潤させて揮散させる液剤用容器であって、
前記蓋部は、有天円筒形状に形成されると共に、当該蓋部の内側に嵌合して揮散マットを下方から支持する嵌合部材を備え、
前記嵌合部材は、側面視すると前記揮散マットを支持する揮散マット支持部と、当該揮散マット支持部よりも下方に位置する着脱操作部を備え、前記揮散マット支持部と前記着脱操作部とが変位部を介して連続的に構成されており、且つ、
当該嵌合部材を平面視すると、外周が前記蓋部の内周面のサイズに相応する円形に構成される
ことを特徴とする液剤用容器。
【考案の詳細な説明】
【技術分野】
【０００１】
本考案は、芳香剤や消臭剤に代表される液剤用容器に関し、特に詳しくは、揮散マットを取り付ける構造に関するものである。
【背景技術】
【０００２】
従来から、液剤を収容する本体部と、当該本体部に対して着脱自在に構成された蓋部とを備え、前記本体部から上方に露出させた芯材を介して前記液剤を揮散マットに浸潤させて揮散させる液剤用容器は公知である（特許文献１参照）。
【０００３】
特許文献１においては、蓋の内側に揮散マットを載置するための枠が一体成形されており、この枠の上に揮散マットを載置して使用される。枠が蓋の内側に一体成形されているため、蓋の下方から揮散マットを入れることができない。そこで、蓋の上部が蝶番により開閉可能とされ、この部分の開閉によって工場等において揮散マットをセットしたり、揮散マットを交換する等の作業をおこなうものとなっている。
【先行技術文献】
【特許文献】
【０００４】
【特許文献１】特開２００１−２６１０８０号公報
【考案の概要】
【考案が解決しようとする課題】
【０００５】
しかしながら、蓋の上部を開閉可能に構成すると蝶番が必要になるなど構造が複雑になってコスト高となるし、容易に蓋を開けて揮散マットにアクセスできる反面、誤って子供が蓋の上部を開けて揮散マットに直接触ったり、揮散マットを取り出してしまうといったことも懸念される。
【０００６】
そこで者は、蓋の内側に着脱自在に嵌合できる嵌合部材を取り付けることによって揮散マットを蓋の内側において下方から支持するのが望ましいと考えた。最も単純には、蓋の内側に嵌合するリング状の嵌合部材を用意し、このリング状の嵌合部材によって揮散マットを支持させるという手法である。
【０００７】
しかしながら、単純にリング状の嵌合部材で揮散マットを支持する場合、そのリング状の嵌合部材を蓋の内側に取り付ける際に取り付けが容易ではないという問題がある。即ち、リング状の嵌合部材は高さ方向の厚みが少ないために、蓋の内側に装着する際に蓋に対して傾き易く、装着に手間取ってしまう。特に、蓋の奥方に揮散マットが位置するようにしようとすれば必然的にリング状の嵌合部材も奥方まで押し込む必要があるため、作業に手間が掛かってします。更に、揮散マットを交換等する際にも、蓋の奥方まで手を入れてリング状の嵌合部材を取り外して揮散マットを交換する必要があるため、この点においても手間がかかってしまう。
【０００８】
そこで本考案は、こういった問題点を解決するべくなされたものであって、蓋の内側に嵌合する嵌合部材を設けて揮散マット支持するにあたり、揮散マットを蓋の奥方まで押し込み易く、着脱操作の簡単な嵌合部材を備えた液剤用容器を提供する事をその課題としている。
【課題を解決するための手段】
【０００９】
上記課題を解決するべく、本願考案は、液剤を収容する本体部と、当該本体部に対して着脱自在に構成された蓋部とを備え、前記本体部から上方に露出させた芯材を介して前記液剤を揮散マットに浸潤させて揮散させる液剤用容器であって、前記蓋部は、有天円筒形状に形成されると共に、当該蓋部の内側に嵌合して揮散マットを下方から支持する嵌合部材を備え、前記嵌合部材は、側面視すると前記揮散マットを支持する揮散マット支持部と、当該揮散マット支持部よりも下方に位置する着脱操作部を備え、前記揮散マット支持部と前記着脱操作部とが変位部を介して連続的に構成されており、且つ、当該嵌合部材を平面視すると、外周が前記蓋部の内周面のサイズに相応する円形に構成されることを特徴とする。
【００１０】
このように嵌合部材を構成した結果、当該嵌合部材を蓋部内側に取り付ける際、嵌合部材自体が傾くことを構造的に防ぐ事ができるため、当該嵌合部材の取り付け又は取り外し操作を行い易い。これは、上下に位置を変えて設けられる揮散マット支持部と着脱操作部が備わっていること。更にそれを連続的に繋ぐ変位部が存在していること。加えてそれら全ての外周（面）が、嵌合部材を平面視（若しくは底面視）した際に蓋部の内周面のサイズに相応する円形に構成されることによって発揮される構造的な機能である。
【００１１】
また、下方に位置する着脱支持部を把持して蓋部の奥方へ揮散マットを押し込むことができるため、揮散マットを、より蓋部の天面に近い位置で支持することができる。更に、揮散マットの取り替え等が必要となった場合でも、本体部から蓋部を取り外して裏返せば、蓋部内側の手前位置に着脱操作部が延在しているため、指を蓋部の奥方にまで入れなくとも嵌合部材の取り外し操作（即ち、揮散マットの取り外し操作）を行うことが可能となる。特にこれらの特有の効果（有利な機能）は、蓋部の直径（横幅）が小さく構成されている場合に有利となるものである。
【考案の効果】
【００１２】
本考案を適用することで、蓋の内側に嵌合する嵌合部材を設けて揮散マット支持するにあたり、揮散マットを蓋の奥方まで押し込み易く、着脱操作の簡単となる。
【図面の簡単な説明】
【００１３】
【図１】本考案の実施形態の一例である液剤用容器の一部断面正面図である。
【図２】蓋部の分解組立図である。
【図３】(Ａ)は嵌合部材の平面図、（Ｂ）は同側面図である。
【図４】嵌合部材によって揮散マットを取り付けた状態を示した蓋部の一部断面側面図である、
【考案を実施するための形態】
【００１４】
以下、添付図面を参照しつつ、本考案の実施形態の一例である液剤用容器１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈液剤用容器の構成〉
本考案に係る液剤用容器１００は、例えば、芳香剤や消臭剤等の液剤を収容し、それを揮散される目的に利用される容器である。
【００１６】
図１に示しているように、液剤用容器１００は、液剤（図示していない）を収容する本体部１１０と、この本体部１１０に対して着脱自在に構成された蓋部１２０とを備える。蓋部１２０は本体部１１０の上部に着脱自在に構成される。本体部１１０と蓋部１２０と連結は、本体部１１０の上部縁に一周にわたって設けられた溝に対して、蓋部１２０の内周面下部に設けられた第１係止突起１２６が嵌合することによって実現される。本実施形態においては、本体部１１０及び蓋部１２０した連結した状態で、全体として円筒形状となるように構成されている。また、本体部１１０の上方には芯材１１４が露出しており、この芯材１１４によって、本体部１１０内に収容する液剤を吸い上げ、芯材１１４の先端側に当接する揮散マット１３０に対して液剤を浸潤させる（移動させる）ことが可能な構成とされている。
【００１７】
図２に示しているように、蓋部１２０は、有天円筒形状に形成され、その内側に揮散マット１３０及び嵌合部材１４０を備える。側面には側面拡散孔１２２が形成され、天面には天面拡散孔１２４が設けられている。蓋部１２０の内側に取り付けられる揮散マット１３０は、嵌合部材１４０によって落下しないよう下方から支持される。この嵌合部材１４０は、蓋部１２０の内周面に設けられた第２係止突起１２８に引っ掛かるようにして蓋部１２０と連結される。
【００１８】
揮散マット１３０は、本実施形態においては不織布等を円盤状に形成されたものが利用される。もちろん不織布に限らず、液剤を含んで揮散させることができる限りにおいて種々の素材が利用可能である。
【００１９】
図２及び図３に示しているように、嵌合部材１４０は、側面視すると揮散マット１４０を支持する揮散マット支持部１４１と、この揮散マット支持部１４１よりも下方に位置する着脱操作部１４２を備え、揮散マット支持部１４１と着脱操作部１４２とが変位部αを介して連続的に構成されている。還元すると、嵌合部材１４０を側面視すると「略方形波」の形となるように構成されている。
【００２０】
一方で、この嵌合部材１４０を平面視（若しくは底面視）すると、外周面１４５が蓋部１２０の内周面のサイズに相応したサイズの円形となるように構成される。
【００２１】
このように、嵌合部材１４０を特殊な形状としたことによって、嵌合部材１４０を蓋部１２０の内側に取り付ける際、嵌合部材１４０自体が傾くことを構造的に防ぐ事ができるため、当該嵌合部材の取り付け又は取り外し操作を行い易い。これは、繰り返しになるが、上下に位置を変えて設けられる揮散マット支持部１４１と着脱操作部１４２が備わっていること。更にそれを連続的に繋ぐ変位部αが存在していること。加えてそれら全ての外周（面）１４５が、嵌合部材１４０を平面視（若しくは底面視）した際に蓋部１２０の内周面のサイズに相応する円形に構成されることによって発揮される構造的な機能である。
【００２２】
また、下方に位置する着脱支持部１４２を把持して蓋部１２０の奥方へ揮散マット１３０を押し込むことができるため、揮散マット１３０を、より蓋部１２０の天面に近い位置で支持することができる。更に、揮散マット１３０の取り替え等が必要となった場合でも、本体部１１０から蓋部１２０を取り外して裏返せば、蓋部１２０内側の手前位置にまで着脱操作部１４２が延在しているため、指を蓋部１２０の奥方にまで入れなくとも嵌合部材１４０の取り外し操作（即ち、揮散マット１３０の取り外し操作）を行うことが可能となる。特にこれらの特有の効果（有利な機能）は、蓋部１２０の直径（横幅）が小さく構成されている場合に有利となるものである。
【符号の説明】
【００２３】
１００・・・液剤用容器
１１０・・・本体部
１１４・・・芯材
１２０・・・蓋部
１２２・・・側面拡散孔
１２４・・・天面拡散孔
１２６・・・第１係止突起
１２８・・・第２係止突起
１３０・・・揮散マット
１４０・・・嵌合部材
１４１・・・揮散マット支持部
１４２・・・着脱操作部
１４５・・・外周面
α・・・変異部
【図１】
0003218342.tif 000003
【図２】
0003218342.tif 000004
【図３】
0003218342.tif 000005
【図４】
0003218342.tif 000006